(57)【要約】  揚水のための装置、システム及び方法が提供される。  装置は、水中で少なくとも下降位置と上昇位置との間で移動可能な少なくとも１つのコンテナを含む。非透水性のメンブレンは、少なくとも１つのコンテナ内に配置され、メンブレンは、少なくとも１つのコンテナの内部区画内を動くことができ、内部区画を少なくとも第１及び第２部分に分離する。少なくとも１つのベント構造が少なくとも１つのコンテナの壁内にあり、メンブレンの動きは、少なくとも１つのベント構造を通じ第１及び第２部分のうち少なくとも１つへの水の流れを制御する。【特許請求の範囲】
【請求項１】
揚水のための装置であって、
前記装置は、
水中で少なくとも下降位置と上昇位置との間で移動可能な少なくとも１つのコンテナと、
前記少なくとも１つのコンテナ内に配置された可動パーティションと、
前記少なくとも１つのコンテナの壁内の少なくとも１つのベント構造と
を備え、
前記可動パーティションは、前記少なくとも１つのコンテナの内部区画内で動くことができ、前記内部区画を少なくとも第１及び第２部分に分離し、
前記可動パーティションの動きは、前記少なくとも１つのベント構造を通じ前記第１及び第２部分のうち少なくとも１つへの水の流れを制御する
装置。
【請求項２】
前記少なくとも１つのベント構造は、
少なくとも２つのバルブ
をさらに備え、
前記少なくとも２つのバルブのうちの第１バルブは、前記内部区画の前記第１部分と連通して配置され、
前記少なくとも２つのバルブのうちの第２バルブは、前記内部区画の前記第２部分と連通して配置される
請求項１に記載の揚水のための装置。
【請求項３】
前記可動パーティションは、加重アタッチメント及び浮力アタッチメントのうち少なくとも１つをさらに備える、
請求項１に記載の揚水のための装置。
【請求項４】
前記少なくとも１つのコンテナは、前記下降及び上昇位置の間で連続的なループに沿って、前記水中で前記下降位置と前記上昇位置との間で移動可能であり、前記少なくとも１つのコンテナは一方向に移動する
請求項１に記載の揚水のための装置。
【請求項５】
連続的な揚水のためのシステムであって、前記システムは、
水の中で少なくとも下降位置と上昇位置との間で移動可能な少なくとも１つのコンテナと、
前記少なくとも１つのコンテナ内に配置された可動パーティションと、
前記水の表面に近接する少なくとも１つのトラフと、
前記少なくとも１つのコンテナが前記少なくとも１つのトラフと係合した場合に、前記少なくとも１つのコンテナと前記少なくとも１つのトラフとの間に配置されるシールと、
を備え、
前記パーティションは、前記少なくとも１つのコンテナの内部区画内で動くことができ、
前記少なくとも１つのコンテナが前記少なくとも１つのトラフと係合した場合に、非透水性の前記パーティションは、前記少なくとも１つのコンテナから前記少なくとも１つのトラフに水量を移動させる、
システム。
【請求項６】
前記少なくとも１つのコンテナの壁内の少なくとも１つのベント構造
をさらに備え、
前記少なくとも１つのベント構造を通じて水量が移動される
請求項５に記載の連続的な揚水のためのシステム。
【請求項７】
前記シールは、前記少なくとも１つのコンテナ上の少なくとも２つのＬ字突起と係合する、前記少なくとも１つのトラフ上の少なくとも２つのＴ字突起をさらに備える、
請求項５に記載の連続的な揚水のためのシステム。
【請求項８】
前記少なくとも２つのＴ字突起は、前記少なくとも２つのＬ字突起と摺動可能に係合する
請求項７に記載の連続的な揚水のためのシステム。
【請求項９】
前記シールは、水拡張性サックをさらに備える、請求項５に記載の連続的な揚水のためのシステム。
【請求項１０】
前記少なくとも１つのコンテナが前記少なくとも１つのトラフと係合した場合に、前記少なくとも１つのコンテナと前記少なくとも１つのトラフとの間に形成される低摩擦インタフェース
をさらに備える、請求項５に記載の連続的な揚水のためのシステム。
【請求項１１】
前記少なくとも１つのトラフに配置された複数の開閉式ハッチ
をさらに備える、請求項５に記載の連続的な揚水のためのシステム。
【請求項１２】
少なくとも１つの前記パーティションは、加重アタッチメント及び浮力アタッチメントのうち少なくとも１つをさらに備える、
請求項５に記載の連続的な揚水のためのシステム。
【請求項１３】
前記シールは、動的シールを用いて、前記少なくとも１つのコンテナが前記少なくとも１つのトラフと係合した場合に、前記少なくとも１つのコンテナと前記少なくとも１つのトラフとの間に形成され、
前記少なくとも１つのコンテナが前記少なくとも１つのトラフと係合した場合に、前記少なくとも１つのコンテナの、前記少なくとも１つのトラフに対する連続的な動きの間に、前記非透水性のパーティションは、前記少なくとも１つのコンテナから前記少なくとも１つのトラフに水量を移動させる
請求項５に記載の連続的な揚水のためのシステム。
【請求項１４】
前記シールは、少なくとも１つの吸引デバイスをさらに備える、
請求項５に記載の連続的な揚水のためのシステム。
【請求項１５】
連続的に水を揚げる方法であって、
前記方法は、
水中で少なくとも下降位置と上昇位置との間で移動可能な少なくとも１つのコンテナを提供するステップと、
前記少なくとも１つのコンテナを、前記水の表面に近接する少なくとも１つのトラフと一時的に係合するステップと、
前記一時的な係合をシールするステップであって、シールが前記少なくとも１つのコンテナと前記少なくとも１つのトラフとの間に配置されるステップと、
前記少なくとも１つのコンテナ内に配置された可動パーティションを用いて、前記少なくとも１つのコンテナから前記少なくとも１つのトラフに水量を移送するステップであって、それによって前記パーティションは、前記少なくとも１つのコンテナの内部区画内を動かせられ、その結果、前記水量を前記少なくとも１つのトラフに押し込むステップと、
を備える方法。
【請求項１６】
前記水量を移送している間、前記少なくとも１つのコンテナを、前記少なくとも１つのトラフに対して連続的に移動させるステップ
をさらに備える、請求項１５に記載の方法。
【請求項１７】
前記一時的な係合のシールは、前記少なくとも１つのコンテナ上の少なくとも２つのＬ字突起と係合する、前記少なくとも１つのトラフ上の少なくとも２つのＴ字突起をさらに備える、請求項１５に記載の方法。
【発明の詳細な説明】
【技術分野】
【０００１】
ＯＴＥＣ
【背景技術】
【０００２】
水を揚げる低コストな方法が商業用途のために必要である。この特許は、重量のある冷水管を用いることなく冷水を取り出す様々な方法を述べる。
【発明を実施するための形態】
【０００３】
複数のケーブルに取り付けられた複数のコンテナは、海底で冷水を満たすことができ、複数のケーブルに沿って水面に引き戻される、又は、複数のケーブルによって駆動され、理想的には、複数のコンテナを満たすために複数のモータは用いられないだろう。
【０００４】
複数の主要部品及び発明の概念
【０００５】
コンテナ
望ましくは絶縁性の硬いＨＤＰＥ外殻（shell）を特徴として持ち、このコンテナは、少なくとも１つの可動メンブレンを特徴とし円筒形又は矩形立方形であることができる。加重メンブレンは、ポテンシャルエネルギーで保持されることができる。
【０００６】
一方向連続
一方向連続システムは、複数のコンテナが一方向に移動するケーブル及びコンテナのシステムであり、望ましくはケーブルあたり２つより多いコンテナがある。  コンテナは、表面で又は表面近傍で「トラフ」を持つシールを形成することができ、移動しているときに空になることができる。
【０００７】
水面下プラットフォーム
【０００８】
水平ケーブルの複数の概念
垂直ではなく水平に保持されるケーブルの長さをもたらす少なくとも２セットの浮揚構造の使用は、急降下するコンテナが、空にできるよう水面で停止するプラットフォームを提供するだろう。
【０００９】
加重メンブレン
コンテナの内部における複数のメンブレンは、重り付け又は浮かせられる。コンテナの位置に応じて、メンブレンは、上昇又は下降するだろう。このシステムは、コンテナを水で満たすために用いることができ、また、空にすることに少なくとも部分的に寄与し、複数の逆止弁は、水がコンテナに入る又はコンテナから出ることを可能にするだろう。複数のバルブは、望ましい時までメンブレンが動くことを防止するために用いられることができる。
【００１０】
いったん水面に出ると、メンブレンの重みは、コンテナを空にすることに少なくとも部分的に寄与するだろう。コンテナは、エクストラクタによって無効にされる複数の一方向逆止弁が取り付けられることができる。エクストラクタは、バルブを開にブレイクするニードル又は同種のものが取り付けられる。
【００１１】
新たな無駄な冷水又は海水は、メンブレンが動くにつれて、拡張部の中に引き込まれる又はポンピングされるだろう。
【００１２】
コンテナは、無駄な冷水を徐々に放出するよう、複数のベントが取り付けられることができる。下降移動中では温度を等しくするべく、また、コンテナが水平になるまでメンブレンが動く必要がないようになる。
【００１３】
スライド取り出しシステム
取り出しの間に複数のコンテナを止める必要をなくすべく及び複数のコンテナが互いに近くに配置されることができるよう、取り出しシステムは、コンテナの上方及び下方又は複数の側方のトラフ（すなわち、動物用水桶（animal water trough））と、移動する間にトラフを持つシールを形成することができるコンテナとを備える。トラフの長さ及び幅は、長い及び広い、短い及び薄い等、任意である。
【００１４】
コンテナは、移動する間に複数の取り出し／挿入バルブ空間を覆うために、複数の液圧（hydraulic）／スプリング・フラップ、又は、他のエネルギー源を用いることができ、これらは横向きに開けることができる。
【００１５】
コンテナ及びトラフが接続し水密を形成する表面で、コンテナが沿って移動するので、望ましくはトラフが両側の２つの突出部を持ち（すなわちＴ字形）、シールの形成の間にＴが嵌まる２つのＬ字形の突出部をコンテナが持つ。（シール及びバルブ並びにコンベアにおける当業者は、最小量の摩擦で漏れを防ぐ最良の方法を助言できる）。コンテナとトラフとの間にシールができると、コンテナ内の可動メンブレンは、コンテナ及びトラフの上部の両方において複数のバルブを介してトラフに水を押し込む。下方の複数のＬ字形状及び又は側方は、密封のための加圧をもたらすためにゴム又は水拡張性の複数のサックを用いることができ、波形であることができる。これらの複数のＬ字形状は、リトラクタブルである、又は、流体力学的な移動のために前方に装着されるスプリングを特徴として持つことができる。
【００１６】
ポテンシャルエネルギーで保持される、重り付け又は浮かせられたメンブレンを用いて、２つのメンブレンの開口が、新鮮な流体（メンブレンに応じて上方又は下方）をエクストラクタから又はエクストラクタに押し込むことになるメンブレンのポテンシャルエネルギーを解放することができる。
【００１７】
（望ましくは絶縁されている）トラフは、コンピュータプログラムを含む複数のモータ又は複数のスプリングに起因して、又は、単に複数のスプリング負荷バルブを用いて開く、複数のバルブ／複数のハッチを持つ。トラフはその後、絶縁された複数の管を通じてＯＴＥＣシステムに連結する。プログラムを用いて、トラフ及びコンテナシステムは、各個々のバルブが適時に開閉することができるよう、一連の複数のベント／複数のバルブを特徴として持つことができる。
【００１８】
このタイプの取り出しシステムは、複数のコンテナの複数の側を通じて水が取り出されるよう、複数のコンテナの「複数の翼（wings）」に組み込まれることができる。新たな冷水及び無駄な冷水が、シールをもたらす駆動システムの力で互いに局所的に出入りできるよう、コンテナはベント／管ボックスシステムを備える。
【００１９】
トラフは、各端にバルブがない複数の面が取り付けられることができる。
【００２０】
トラフとコンテナとが接触する複数の面は、着脱可能な複数の低摩擦面の小さい層で波形がつけられることができる。そして複数のメンブレンは密封をもたらす。
【００２１】
トラフは複数の空気バルブを用いることができる（空気で満たされ、流体移送インタフェースを呈するために平板における圧力に応答する複数の圧力変化に対する弾性的な自動応答のために囲まれたシリンジ様の複数のピストン）。
【００２２】
トラフは、望ましくは、開放された場合にメンブレンを通過する水（特に、無駄な水）における一定圧力を促進するべくトラフ／水溜めの圧力／体積の変動に対する弾性応答を提供する水溜めピストンに結合された追加のシリンジと共に、大きな「複数のシリンジ」を利用する水溜めを特徴として持つことができる。
【００２３】
一方向注入コンテナ
【００２４】
動的スライド取り出し
スライド充填システムは、上記（静的スライド取り出し）と同一のメンブレンを用いる。コンテナは、移動中に空にされ、エクストラクタ及びコンテナの両方の複数の端までメンブレンを持たないがＴ及びＬ設計を持つ複数の平坦面が水の過度な損失を防ぐ。これらの領域は、密封と、複数の密封及び複数の低摩擦面のための金属及びゴムの混合とをもたらすために複数の吸引ポンプを特徴として持つことができる。
【００２５】
コンテナのメンブレンは、複数のスプリング、エクストラクタの複数の空気又は液圧ピストン（及び複数のスプリング）を用いる。コンテナ上のメンブレンがエクストラクタのメンブレンによって押されない場合、複数のスプリングはメンブレンを閉じるように強制する。
【００２６】
ベルトケーブル駆動
複数のケーブルを駆動するためのシステムは、複数のケーブル又は複数のコンテナを駆動する、少なくとも１つの、望ましくは「ラバー」のコンベヤベルトを備える。望ましくは２つのベルトは、２つのベルトが互いに押し込むように用いられるだろう。
【００２７】
下部ベルトシステムは、ニュートラルシステム（モータなし）であることができ、他方、上部ベルトシステムは、モータ又は液圧タービンに接続されるだろう。ベルトシステムは、湾曲又は直線であることができ、二重ベルトが用いられる場合、グリッパーが渡ることができるだろう。当業者は、望ましくは戦車トラック（military tank track）と同様のサスペンションを特徴として持つ、最良のシステムについて助言できる。
【００２８】
複数の水中システム
通常の複数のＯＴＥＣシステムの使用は、これらのシステムが構造的に変更される必要がないよう（「出来合い」製品のままであるために）、複数のタービン蒸発器等を含む。それらは強化大気ケーシング内に配置される。このケーシングは、複数の水中システムが圧力によって損傷されることから防ぐ。
【００２９】
これは、水中化されることによって冷水の低減された質量の利点を得るためであってよい。
【００３０】
複数のコンピュータ化システム
衛星通信システムの使用は、ボートから又は岸からシステムがモニタ及び制御されることを可能にするだろう。
【００３１】
複数の熱交換器
残りの複数のＯＴＥＣシステムは、プラットフォームの近くの冷水熱交換器とともに、水平ケーブルの概念のシステムの複数の側部に配置される。残りの複数のＯＴＥＣシステムは、プラットフォームのどちらかの側部又は「ルーフ」上に配置されることができる。
【００３２】
システムが水の下に保持されるので、複数の管は海水と暖熱交換のために直接にインタフェースする。これは寄生する複数のエネルギー費用を下げるだろう。
【００３３】
予熱器
熱交換を可能にするための一連の複数の管又は複数のホールで低圧力に耐えることができるよう設計されるコンテナ。コンテナの複数の内部は、コンテナが非常に基本的なラジエータ（基本的な追加の複数の熱交換面を含む）のように作用するよう、単一チャネルを特徴として持つことができる。熱交換器は、大規模でなく、高価な金属類から作られず、作動流体を温めるより長い期間に依拠する。望ましくは、この予熱器内でアンモニアが沸騰しないだろうが、チタン等の高価な金属類を用いた大規模な熱交換器がサイズを最小にされることができる程度に十分に温めるだろう。望ましくは、予熱器は、低圧力の流れ、大きな体積及び沸騰に近い製品を特徴として持つ。蒸気が生成される場合、追加の複数の蒸気管が追加されることができる。
【００３４】
大きな熱交換面をさらすより、コンテナの内部は、複数のスターラーと、作動流体のうちいくらかを吸引し、それが来た場所にいくらか隔てて戻す少数の外部管を特徴として持つ。これらの管は、コンテナの底部側からコンテナの上部側に配置されることができ、又は、浮力又は中性浮力の利点を得るためにコンテナ内部で移動することができる。
【００３５】
複数のセンサ、複数の遮断スイッチ、複数のキャッチ等
移動するコンテナは、複数のシステム／信号を係合するため遮断スイッチを通し、エクストラクタを係合するコンピュータにドッキングが生じる。
【国際調査報告】
2015516043.tif 000002
2015516043.tif 000003
2015516043.tif 000004
2015516043.tif 000005
2015516043.tif 000006